(57)【要約】【課題】作業者が多数の光ファイバコードから特定の光ファイバコードを識別する作業を容易にする、コネクタ付き光ファイバコード用の給電装置を提供する。【解決手段】光ファイバコード２が延出するコネクタ１０の後部が嵌合可能であって、光ファイバコード２の軸方向に沿って開口する開口部６１ａを有するコネクタ嵌合部６１を備えたハウジング６０と、コネクタ嵌合部６１に設けられ、電極４４ａとそれぞれ導通可能な複数のバネ状端子７０と、を備え、コネクタ嵌合部６１にコネクタ１０の後部が嵌合されている状態で、複数のバネ状端子７０がそれぞれの電極４４ａに導通可能とされている。【選択図】図１３
2015079098.tif 000002
【特許請求の範囲】
【請求項１】
発光素子と、前記発光素子と導通し光ファイバコードの軸方向に交差する方向に露出した複数の電極と、を備えた光ファイバコード用コネクタに結合して、前記発光素子に電力を供給する給電装置であって、
前記光ファイバコードが延出する前記コネクタの後部が嵌合可能であって、前記光ファイバコードの軸方向に沿って開口する開口部を有するコネクタ嵌合部を備えたハウジングと、
前記コネクタ嵌合部に突出して前記複数の電極とそれぞれ導通可能な複数のバネ状端子と、を備え、
前記コネクタ嵌合部に前記コネクタの後部が嵌合されている状態で、複数の前記バネ状端子がそれぞれの前記電極に導通可能とされている、給電装置。
【請求項２】
前記コネクタ嵌合部にシャッタ部を有し、
前記シャッタ部は、前記バネ状端子の導通部を前記コネクタ嵌合部側に突出させて前記バネ状端子を前記電極に導通させる第一位置と、前記バネ状端子と当接して前記導通部を前記コネクタ嵌合部側に突出させない第二位置と、に移動可能である、請求項１に記載の給電装置。
【請求項３】
前記シャッタ部は前記コネクタ嵌合部の内部において前記光ファイバコードの軸方向に移動することで前記第一位置と前記第二位置を移動可能である、請求項２に記載の給電装置。
【請求項４】
前記シャッタ部を前記第二位置に向かって押し付けるバネ部材が設けられている、請求項２または請求項３のいずれか一項に記載の給電装置。
【請求項５】
前記ハウジングには、前記シャッタ部を前記第一位置と前記第二位置の少なくとも一方に保持するラッチ部が設けられている、請求項２から請求項４のいずれか一項に記載の給電装置。
【請求項６】
前記シャッタ部の第一位置は、前記第二位置に対して、前記ハウジングに対する前記シャッタ部の相対位置における後方に位置する、請求項２から請求項５のいずれか一項に記載の給電装置。
【請求項７】
前記ハウジングの後方に設けられ、前記ハウジングの後部に着脱自在に取り付けられた治具を有する、請求項１から請求項６のいずれか一項に記載の給電装置。
【請求項８】
前記治具は前記ハウジングに対して、前記光ファイバコードの軸方向と交差する方向に回動可能とされている、請求項７に記載の給電装置。
【請求項９】
前記治具には、前記光ファイバコードの軸方向に沿って開口する凹部が設けられている、請求項７または請求項８に記載の給電装置。
【請求項１０】
前記ハウジングに対して、前記光ファイバコードの軸方向に移動可能に設けられたシャッタ部を有し、
前記バネ状端子の少なくとも一部は、前記コネクタ嵌合部の外側に設けられ、
前記シャッタ部は、前記バネ状端子の導通部を前記コネクタ嵌合部側に突出させて前記バネ状端子を前記電極に導通させる第一位置と、前記バネ状端子と前記電極との間に位置し前記バネ状端子と当接して前記導通部を前記コネクタ嵌合部に突出させない第二位置と、に移動可能に設けられ、
前記シャッタ部は、前記ハウジングの後方に着脱自在に設けられた治具に設けられている、請求項１に記載の給電装置。
【発明の詳細な説明】
【技術分野】
【０００１】
本発明は、光ファイバコード用コネクタの発光素子へ給電させて発光させる給電装置に関する。
【背景技術】
【０００２】
回路基板等からなるカードが収容されるサブラックが特許文献１に開示されている。サブラックは、筒状の筺体と、筺体の前面に設けられる前面パネル部と、筺体内に収容される光用の複数のカードとにより構成されている。このサブラックの前面パネル部には、光ファイバ接続部が設けられている。例えば、光ファイバケーブルはこのような一対のサブラックを接続するために用いられる。光ファイバケーブルの両端はそれぞれ、サブラックの光ファイバ接続部に接続される。
【先行技術文献】
【特許文献】
【０００３】
【特許文献１】実用新案登録第３０７９４７３号公報
【特許文献２】特開２０１２−２４３６７０号公報
【発明の概要】
【発明が解決しようとする課題】
【０００４】
光ファイバ接続部には多数の光ファイバコード（光コード、光ファイバケーブル等）が接続されるため、配線された多数の光ファイバコードの中から選択すべき光ファイバコードを特定することが困難である。
【０００５】
そこで本発明者らは、光ファイバコードに接続するコネクタに発光素子を設けることを検討した。この場合、作業者はテスターの端子を発光素子の電極に導通させる必要がある。しかし、光ファイバコードの一方に位置するサブラックの前面パネル部にテスターを当てている作業者が、光ファイバコードの他方に位置するコネクタの発光を確認することが難しい。また、そもそも、コネクタが密集して配置されるサブラックの前面パネル部では、十分な作業スペースを確保することが難しいので、テスターで発光素子の電極に導通させることが困難である。
【０００６】
そこで本発明は、作業者が多数の光ファイバコードから特定の光ファイバコードを識別する作業を容易にする、コネクタ付き光ファイバコード用の給電装置を提供することを目的とする。
【課題を解決するための手段】
【０００７】
上記の目的を達成するために、本発明の給電装置は、発光素子と、前記発光素子と導通し光ファイバコードの軸方向に交差する方向に露出した複数の電極と、を備えた光ファイバコード用コネクタに結合して、前記発光素子に電力を供給する給電装置であって、前記光ファイバコードが延出する前記コネクタの後部が嵌合可能であって、前記光ファイバコードの軸方向に沿って開口する開口部を有するコネクタ嵌合部を備えたハウジングと、前記コネクタ嵌合部に突出して、前記複数の電極とそれぞれ導通可能な複数のバネ状端子と、を備え、前記コネクタ嵌合部に前記コネクタの後部が嵌合されている状態で、複数の前記バネ状端子がそれぞれの前記電極に導通可能とされている。
【発明の効果】
【０００８】
本発明によれば、作業者が多数の光ファイバコードから特定の光ファイバコードを識別する作業を容易にする、コネクタ付き光ファイバコード用の給電装置が提供される。
【図面の簡単な説明】
【０００９】
【図１】コネクタの側面図である。
【図２】光コードの断面図である。
【図３】コネクタの断面図である。
【図４】発光部材の斜視図である。
【図５】コネクタの後端部の斜視図である。
【図６】コネクタが接続される装置を示す斜視図である。
【図７】コネクタに結合した給電装置を示す斜視図である。
【図８】ハウジングの斜視図である。
【図９】バネ状端子を示す図である。
【図１０】治具の側面図である。
【図１１】治具の上面図である。
【図１２】シャッタ部が第二位置に位置するハウジングの断面図である。
【図１３】シャッタ部が第一位置に位置するハウジングの断面図である。
【図１４】第一実施形態の変形例に係る給電装置の図１２に対応する図である。
【図１５】本発明の第二実施形態に係る給電装置の分解斜視図である。
【図１６】図１５に示した給電装置の断面図である。
【図１７】図１７は、治具をハウジングに挿入し、かつ、コネクタが給電装置に結合していない状態を示す、給電装置の斜視図である。
【図１８】電極とバネ状端子が導通状態の給電装置およびコネクタを示す断面図である。
【図１９】本発明の第三実施形態に係る給電装置およびコネクタを示す断面斜視図である。
【発明を実施するための形態】
【００１０】
〈本発明の実施形態の概要〉
最初に本発明の実施形態の概要を説明する。
本発明にかかる給電装置の一実施形態は、
（１）発光素子と、前記発光素子と導通し光ファイバコードの軸方向に交差する方向に露出した複数の電極と、を備えた光ファイバコード用コネクタに結合し、前記発光素子に電力を供給する給電装置であって、
前記光ファイバコードが延出する前記コネクタの後部が嵌合可能であって、前記光ファイバコードの軸方向に沿って開口する開口部を有するコネクタ嵌合部を備えたハウジングと、
前記コネクタ嵌合部に突出して前記電極とそれぞれ導通可能な複数のバネ状端子と、を備え、
前記コネクタ嵌合部に前記コネクタの後部が嵌合されている状態で、複数の前記バネ状端子がそれぞれの前記電極に導通可能とされている。
【００１１】
（１）の構成によれば、コネクタ嵌合部にコネクタの後部を嵌合されている状態で、発光素子に給電できるので、作業者は給電装置から手を離しても発光素子を発光させ続けやすく、識別作業が容易になる。
また、コネクタの後方から給電装置を近づけて給電するので、コネクタが密集して設けられる前面パネルにおいても、コネクタ後部をコネクタ嵌合部に嵌合させやすく、識別作業をしやすい。
【００１２】
（２）前記コネクタ嵌合部にシャッタ部を有し、
前記シャッタ部は、前記バネ状端子の導通部を前記コネクタ嵌合部側に突出させて前記バネ状端子を前記電極に導通させる第一位置と、前記バネ状端子と当接して前記導通部を前記コネクタ嵌合部側に突出させない第二位置と、に移動可能であってもよい。
（２）の構成によれば、シャッタ部の位置に応じて電極とバネ状端子との導通状態を切り替えることができるので、バネ状端子を不用意に損傷する虞や電極およびコネクタの電極の周辺部位をバネ状端子で損傷する虞が小さい。このため、コネクタの損傷を抑制できる。
【００１３】
（３）前記シャッタ部が前記コネクタ嵌合部の内部において前記光ファイバコードの軸方向に移動することで、前記第一位置と前記第二位置を移動可能であってもよい。
（３）の構成によれば、作業スペースの狭い径方向ではなく、軸方向にシャッタ部を移動させることで導通と非導通とを切り替えられるので、作業性がよい。
【００１４】
（４）前記シャッタ部を前記第二位置に向かって押し付けるバネ部材が設けられていてもよい。
（４）の構成によれば、給電装置をコネクタから外した際に、シャッタ部を確実に第二位置へ配置できる。
【００１５】
（５）前記ハウジングには、前記シャッタ部を前記第一位置と前記第二位置の少なくとも一方に保持するラッチ部が設けられていてもよい。
（５）の構成によれば、バネ状端子の導通部と電極との導通／非導通状態を維持しやすい。
【００１６】
（６）前記シャッタ部の第一位置は、前記第二位置に対して、前記ハウジングに対する前記シャッタ部の相対位置における後方に位置していてもよい。
（６）の構成によれば、シャッタ部に対してハウジングを相対的に前進させると発光素子を点灯させることができるので、操作が直感的にわかりやすい。
【００１７】
（７）前記ハウジングの後方に設けられ、前記ハウジングの後部に着脱自在に取り付けられた治具を有していてもよい。
コネクタの側方にはコネクタが密集しているので作業スペースを確保しにくいが、コネクタの後方には大きな作業スペースを確保しやすい。（７）の構成によれば、ハウジングの後方の作業スペースを使って治具を操作することにより、コネクタを操作することができるので、給電装置をコネクタに結合させやすい。
【００１８】
（８）前記治具は前記ハウジングに対して、前記光ファイバコードの軸方向に交差する方向に回動可能とされていてもよい。
（８）の構成によれば、給電装置に軸方向に交差する方向から衝撃力が加わっても、治具が回動して、コネクタに該衝撃力が作用しない。このため、コネクタが破損することを抑制できる。
【００１９】
（９）前記治具には、前記光ファイバコードの軸方向に沿って開口する凹部が設けられていてもよい。
（９）の構成によれば、凹部に、コネクタから延びる光ファイバコードを無理なく治具に沿わせることができ、光ファイバコードを屈曲させる虞が少ない。
【００２０】
（１０）前記ハウジングに対して、前記光ファイバコードの軸方向に移動可能に設けられたシャッタ部を有し、
前記バネ状端子の少なくとも一部は、前記コネクタ嵌合部の外側に設けられ、
前記シャッタ部は、前記バネ状端子の導通部を前記コネクタ嵌合部側に突出させて前記バネ状端子を前記電極に導通させる第一位置と、前記バネ状端子と前記電極との間に位置し前記バネ状端子と当接して前記導通部を前記コネクタ嵌合部側に突出させない第二位置と、に移動可能に設けられ、
前記シャッタ部は、前記ハウジングの後方に着脱自在に設けられた治具に設けられていてもよい。
（１０）の構成によれば、作業スペースの狭い径方向ではなく、軸方向にシャッタ部を移動させることで発光素子の導通状態と非導通状態とを切り替えられるので、作業性がよい。
また、コネクタの電極にバネ状端子を当接させず、バネ状端子にシャッタ部を当接させて、電極とバネ状端子との導通状態を切り替えるので、電極およびコネクタの電極の周辺部位がバネ状端子で損傷する虞が小さい。このため、コネクタの損傷を抑制できる。
【００２１】
〈本発明の実施形態の詳細〉
以下、本発明に係る給電装置の実施の形態の例を、図面を参照して説明する。なお、本発明はこれらの例示に限定されるものではなく、特許請求の範囲によって示され、特許請求の範囲と均等の意味および範囲内でのすべての変更が含まれることが意図される。
【００２２】
まず、本実施形態に係る給電装置を用いて給電するコネクタについて説明する。図１は、コネクタ１０の側面図である。図１に示すように、コネクタ１０は、光コード２の前方端部を保持するフェルール７と、このフェルール７を保持するハウジング２０と、ハウジング２０の後方から取り付けられるブーツ５０とを有している。なお、以降の説明において、前後方向とは光コード２の軸方向に沿った方向を言う。また、前方とは、光コード２の端部方向を言う。側方とは、光コード２の径方向を言う。
【００２３】
図２は、光コード２の断面図である。図２に示すように、光コード２は、光ファイバ素線３（光ファイバの一例）と、一対の電線４と、この光ファイバ素線３および一対の電線４を被覆する外被６とを有している。外被６の内部に設けられた中空部の内部に、光ファイバ素線３と電線４とが収容されている。また、中空部の内部であって、光ファイバ素線３と電線４との隙間には、アラミド繊維などの抗張力繊維５が設けられている。
【００２４】
図３は、コネクタ１０の断面図である。図３に示すように、フェルール７の内部には、長手方向に貫通する貫通孔が設けられている。貫通孔には、光コード２の光ファイバ素線３から露出されたガラスファイバが挿入されて固定されている。
【００２５】
ハウジング２０は、フロントハウジング２１と、ミドルハウジング２２と、リアハウジング３０を備えている。フロントハウジング２１とミドルハウジング２２は、その内部にフェルール７を収容する。ミドルハウジング２２は、フロントハウジング２１の後方に設けられている。
【００２６】
リアハウジング３０は、ミドルハウジング２２の後部に取り付けられている。リアハウジング３０の後部には、後方に向かって開口する受け部３１が設けられている。この受け部３１には、後方側から発光部材４０が挿し込まれている。また、リアハウジング３０の後部には、外部から受け部３１に貫通する給電用開口３３ａが設けられている。給電用開口３３ａは径方向外側に向かって開口している。
【００２７】
図４は、発光部材４０の斜視図である。図４に示すように、発光部材４０は、発光素子４１と、上面に発光素子４１が搭載された回路基板４２と、回路基板４２上に形成された端子４４とを有する。また、回路基板４２には、表裏に貫通する通路４３が設けられている。発光素子４１には、ＬＥＤ（Ｌａｓｅｒ Ｅｍｉｔｔｉｎｇ Ｄｉｏｄｅ）素子やＥＬ（Ｅｌｅｃｔｒｏ Ｌｕｍｉｎｅｓｃｅｎｃｅ）素子などを採用することができる。
【００２８】
発光素子４１には、端子４４が電気的に接続されている。端子４４には、発光素子４１から前方側に延びる電極４４ａと、発光素子４１から後方側に延びる後方側リード部４４ｂが設けられている。通路４３は、後方側リード部４４ｂに開口している。
【００２９】
再び図３に戻り、発光部材４０は、発光素子４１および発光素子４１よりも後方側の部位が受け部３１の開口３１ａよりも後方側に突出された状態で、リアハウジング３０の受け部３１に挿入されている。発光部材４０が受け部３１に挿入された状態で、２つの給電用開口３３ａはそれぞれ電極４４ａの直上に位置する。これにより、電極４４ａは外部から給電用開口３３ａを介してアクセス可能とされている。
【００３０】
光コード２の電線４は、回路基板４２の通路４３を介して回路基板４２の上面まで回り込んでいる。電線４は、後方側リード部４４ｂに、はんだ付け、溶着あるいはかしめなどにより接続されている。電線４により、光コード２の一方の端部に設けられたコネクタ１０の発光素子４１と、光コード２の他方の端部に設けられたコネクタ１０の発光素子４１とが導通する。
【００３１】
図５は、コネクタ１０の後部の斜視図である。リアハウジング３０の後部の外周には、軟らかい樹脂製のブーツ５０が装着されている。ブーツ５０は、リアハウジング３０の後方において光コード２に急激な曲げが作用しないように光コード２を保護する。ブーツ５０は、リアハウジング３０の後方端部に後方側から取り付けられて、発光部材４０の一部を覆う。
【００３２】
このブーツ５０は、発光部材４０に設けられた発光素子４１から出射した光を拡散させながら外部に導くように、半透明の樹脂から形成されている。なお、半透明の樹脂で形成する代わりに、透明樹脂でブーツ５０を形成し、その外表面や内表面に微小な凹凸を設けることにより、発光素子４１から出射した光を拡散させながら外部に導いてもよい。あるいは、光拡散材を含有する透明樹脂によりブーツ５０を形成してもよい。
【００３３】
図６は、コネクタが接続される装置２００を示す斜視図である。図６に示すように、コネクタ１０が接続された光コード２は、例えば光ネットワークの局内光接続に用いられる。このような用途においては、多数の光コード２が高密度で接続対象の装置２００に光接続される。このため、多数の光コード２の中から特定の光コード２を識別することが非常に難しい。
【００３４】
そこで、本発明者らは、上述したようなコネクタ１０を用いて、特定の光コード２に接続されたコネクタ１０の発光素子４１を発光させることにより、多数の光コード２の中から特定の光コード２を識別しやすくすることを検討した。
【００３５】
この発光素子４１を発光させる際には、電極４４ａを介して発光素子４１に給電する必要がある。しかし、例えばリード線などの端子を給電用開口３３ａに近づけて給電する場合には、作業者はリード線を持って一方のコネクタ１０側で作業する必要があり、作業者はその場所から離れることができない。このため、そこから離れた他方側のコネクタ１０の発光素子４１の発光を確認することが困難である。
【００３６】
そこで、本発明者らは、密集して配置されているコネクタ１０の発光素子４１の電極４４ａに接触させやすく、特定の光コード２の識別作業をしやすい給電装置を開発した。
【００３７】
＜第一実施形態＞
以下、本発明の第一実施形態に係る給電装置１００について説明する。
図７は、コネクタ１０に結合した給電装置１００を示す斜視図である。図７に示すように、給電装置１００は、ハウジング６０と、治具９０とを備えている。ハウジング６０は、コネクタ１０の後部に結合可能な部材である。治具９０は、ハウジング６０の後方に設けられ、ハウジング６０の後部に着脱自在に取り付けられている。ハウジング６０および治具９０は樹脂などにより形成することができる。
【００３８】
（ハウジング）
図８は、ハウジング６０の斜視図である。図８に示すように、ハウジング６０は、互いに向かい合って軸方向に延びる一対の端子収容部６２と、一対の端子収容部６２を接続する側壁６３とを備えている。ハウジング６０には、軸方向に延びるコネクタ嵌合部６１が設けられている。コネクタ嵌合部６１は、一対の端子収容部６２と、側壁６３とにより形成される空間である。コネクタ嵌合部６１の軸方向に垂直な断面は、コネクタ１０のリアハウジング３０の外形よりも大きく設定されている。一対の端子収容部６２にはそれぞれ、バネ状端子７０が収容されている。
【００３９】
コネクタ嵌合部６１は、軸方向の前方に開口する前方開口部６１ａと、軸方向に沿って側方に開口する側方開口部６１ｂ（開口部の一例）とを備えている。前方開口部６１ａおよび側方開口部６１ｂは、コネクタ１０のリアハウジング３０の外形よりも大きく設定されている。
【００４０】
側壁６３は、一対の端子収容部６２を接続する部位であり、光コード２の軸方向から見て端子収容部６２の一方の端部同士を接続する。図示の例では、側壁６３は、光コード２の軸方向の後方から見て、一対の端子収容部６２の右端部同士を接続している。このため、コネクタ嵌合部６１は、光コード２の軸方向の後方から見て、左側に側方開口部６１ｂが開口している。
【００４１】
（バネ状端子）
図９は、バネ状端子７０を示す図である。図９は、上方の端子収容部６２の外周部を取り外した状態を示している。バネ状端子７０は、図示せぬ外部電源からコネクタ１０へ電力を供給する部材である。バネ状端子７０は、弾性を有する金属線である、導電性ワイヤで形成されている。本実施形態では、１つの端子収容部６２に２つのバネ状端子７０が設けられ、合計４つのバネ状端子７０がハウジング６０に設けられている。
【００４２】
図９に示すように、バネ状端子７０は、導電性ワイヤの一方の端部に設けられた接続部７１と、他方の端部に設けられた導通部７２と、その中間に設けられた巻回部７３とを備えている。導通部７２は、導電性ワイヤが折り曲げられて形成された部位である。導通部７２は、端子収容部６２のコネクタ嵌合部６１に開口する端子突出孔６２ａから突出可能に設けられている。導通部７２は、最も径方向内側に位置する部位から後方に向かって径方向外側に離れる傾斜部７１ａを備えている。接続部７７１には、図示せぬ電線が接続される。接続部７１を介して、外部電源からバネ状端子７０に電力が供給される。
【００４３】
ハウジング６０は光コード２の軸方向に交差する方向に延びる取付部６６を備えている。巻回部７３は、取付部６６に巻きつけられている。接続部７１に、径方向の内側から外側に押す力が作用すると、バネ状端子７０自体の弾性力によって、導通部７２は端子収容部６２側に移動可能とされている。また、この押す力が作用しない図示した状態では、導通部７２が端子突出孔６２ａからコネクタ嵌合部６１側に突出している。
【００４４】
（シャッタ部）
コネクタ嵌合部６１の内部には、光コード２の軸方向に移動可能にシャッタ部８０が設けられている。シャッタ部８０は、コネクタ１０のブーツ５０（コネクタの後部の一例）が収容されるコネクタ収容部８１を有している。コネクタ収容部８１は、光コード２の軸方向に延びる空間である。
【００４５】
端子収容部６２の内壁には、複数のラッチ部６５が設けられている。シャッタ部８０の外周面には、凸部８３が設けられている。シャッタ部８０の凸部８３がハウジング６０のラッチ部６５に当接することにより、シャッタ部８０は、コネクタ嵌合部６１の内部において、後述する第一位置および第二位置の位置に保持される。
【００４６】
（治具）
次に、図１０および図１１を用いて、給電装置１００の治具９０を説明する。図１０は治具９０の側面図である。図１０に示すように、治具９０は、把持部９１と、一対のクリップ部９２とを備えている。把持部９１は、作業者が把持する部位である。把持部９１には、光コード２の軸方向に沿って凹部９３が設けられている。
【００４７】
一対のクリップ部９２はそれぞれ、光コード２の軸方向と交差する方向に延びる軸部９４を備えている。それぞれのクリップ部９２は、軸部９４を中心として揺動可能に把持部９１の前端部に取り付けられている。
【００４８】
一対のクリップ部９２の前端部にはそれぞれ、互いに近づく方向に延びる爪部９５が設けられている。この爪部９５は、ハウジング６０の外周面の後部に設けられた凹部６４（図８参照）に挿入可能とされている。クリップ部９２の後端部には押圧部９６が形成されている。図示しないスプリングにより、一対の爪部９５には、互いを近づける力が常時作用している。
【００４９】
作業者が手で押圧部９６を押圧すると爪部９５が互いに離間し、押圧部９６から手を離すと爪部９５が互いに近づく。爪部９５をハウジング６０の凹部６４に挿入させた状態で、作業者が押圧部９６から手を離すと、治具９０はハウジング６０を把持する状態となる。
【００５０】
図１１は治具９０の上面図である。図１１に示すように、光コード２の軸方向に交差する方向に関して、把持部９１は、クリップ部９２の中心からずれた位置に設けられている。把持部９１に設けられた凹部９３が、光コード２の軸方向に交差する方向に関して、中心近くに位置されている。
【００５１】
（給電装置１００の結合方法）
次に、図１２および図１３を用いて、給電装置１００をコネクタ１０に結合させる方法を説明する。図１２および図１３は、コネクタ１０およびハウジング６０の断面を示している。図１２は、コネクタ１０がコネクタ嵌合部６１に嵌合され、かつ、コネクタ１０の電極４４ａにバネ状端子７０に導通していない状態を示している。図１３は、図１２の状態からさらに給電装置１００を前方に押し込んで、電極４４ａとバネ状端子７０が導通している状態を示している。
【００５２】
まず、作業者は、コネクタ１０から後方に延びる光コード２を、ハウジング６０の側方開口部６１ｂからコネクタ嵌合部６１の内部に入れて、さらに光コード２を治具９０の凹部９３に沿わせる。
【００５３】
次に、作業者は、コネクタ１０の一部を側方開口部６１ｂあるいは前方開口部６１ａからコネクタ嵌合部６１に挿入させる。この状態で、作業者は、治具９０の把持部９１を掴んで、給電装置１００をコネクタ１０に向かって前進させる。すると、コネクタ１０は、コネクタ嵌合部６１の内部で、相対的に後方に移動する。給電装置１００を前進させると、図１２に示すように、コネクタ１０のブーツ５０がシャッタ部８０のコネクタ収容部８１に収容され、リアハウジング３０の後端面がシャッタ部８０の前端面に当接する。
【００５４】
図１２では、給電装置１００をコネクタ１０に結合させる前の状態において、シャッタ部８０は、コネクタ嵌合部６１の前方に位置している。図１２に示した状態では、シャッタ部８０の導通阻止部８２が、端子突出孔６２ａを塞いでいる。導通阻止部８２は、軸方向に延びる板状部の部位である。導通阻止部８２は、端子突出孔６２ａと取付部６６との間を、前後方向に移動可能な部位である。導通阻止部８２が端子突出孔６２ａを塞いでいるため、バネ状端子７０の導通部７２は導通阻止部８２に当接し、端子突出孔６２ａから突出していない。このため、図１２に示した状態では、コネクタ１０の電極４４ａとバネ状端子７０とが導通していない。発光素子４１は点灯していない。なお、バネ状端子７０と電極４４ａとを導通させないシャッタ部８０の位置を、「第二位置」と呼ぶ。
【００５５】
図１２で示した状態から、さらに給電装置１００を前進させると、図１３に示すように、シャッタ部８０はコネクタ１０に押されて、コネクタ嵌合部６１の内部でハウジング６０に対して相対的に後方に移動する。導通阻止部８２は端子突出孔６２ａより後方に移動し、端子突出孔６２ａがコネクタ嵌合部６１に開口する。すると、バネ状端子７０の導通部７２は、その弾性力によって、端子突出孔６２ａからコネクタ嵌合部６１に突出する。突出した導通部７２は、コネクタ１０の給電用開口３３ａを通って電極４４ａに接触する。これにより、バネ状端子７０と電極４４ａが導通し、給電装置１００から発光素子４１に電力が供給され、発光素子４１が点灯する。このように、バネ状端子７０と電極４４ａとを導通させるシャッタ部８０の位置を、「第一位置」と呼ぶ。
【００５６】
なお、図１３に示した状態から、作業者が把持部９１を掴んで、給電装置１００を後方に引くと、ブーツ５０とコネクタ収容部８１とが密着したまま、コネクタ１０とシャッタ部８０が一体的にコネクタ嵌合部６１内を前方に移動する。このとき、シャッタ部８０の前端がバネ状端子７０の傾斜部７１ａに当接する。さらにシャッタ部８０をハウジング６０に対して前方に移動させる。すると、傾斜部７１ａがシャッタ部８０の前端に押されて、導通部７２が径方向外側に移動する。シャッタ部８０の導通阻止部８２が端子突出孔６２ａを塞ぐ位置まで移動すると、導通阻止部８２がバネ状端子７０の導通部７２に当接する。これにより、バネ状端子７０と電極４４ａとの導通が絶たれて、発光素子４１が消灯する。さらに給電装置１００を後方に引くと、ブーツ５０がコネクタ収容部８１から離脱して、コネクタ１０がハウジング６０から抜け出る。
【００５７】
（効果）
以上説明したように、本実施形態に係る給電装置１００によれば、ハウジング６０がコネクタ１０の後部が嵌合されるコネクタ嵌合部６１を有し、コネクタ嵌合部６１にコネクタ１０の後部が嵌合されている状態で、バネ状端子７０が電極４４ａに導通可能とされている。
このため、給電装置１００をコネクタ１０に対して後方から近づけて、給電装置１００を前方に移動させることにより、電極４４ａとバネ状端子７０とを導通させることができる。このように、作業スペースを大きく確保できるコネクタ１０の後方の空間を使って、発光素子４１に給電できる。このため、コネクタ１０の発光素子４１を発光させて特定の光コード２を特定する識別作業が容易になる。
また、上述した給電装置１００を用いれば、作業者が把持部９１から手を離しても、コネクタ１０がコネクタ嵌合部６１から抜け出しにくいため、電極４４ａとバネ状端子７０の導通状態を維持し続けることができる。このため、作業者が、光コード２の一方の端部に設けたコネクタ１０に給電装置１００を導通させて、給電装置１００から手を離し、光コード２の他方の端部に設けたコネクタ１０の発光素子４１の点灯状態を確認しやすい。
【００５８】
さらに本実施形態に係る給電装置１００によれば、シャッタ部８０が、コネクタ１０の後部が収容されるコネクタ収容部８１を備え、コネクタ嵌合部６１の内部に光コード２の軸方向に移動可能に設けられている。また、このシャッタ部８０は、バネ状端子７０の導通部７２をコネクタ嵌合部６１側に突出させてバネ状端子７０を電極４４ａに導通させる第一位置と、導通阻止部８２が導通部７２と当接して導通部７２をコネクタ嵌合部６１側に突出させない第二位置と、に移動可能とされている。
【００５９】
つまり、シャッタ部８０を軸方向に移動させることにより、導通状態と非導通状態とを切り替えるため、コネクタ１０が密集されて配置されて作業スペースの小さいコネクタ１０の側方の空間を利用せず、大きな作業スペースを確保できるコネクタ１０の後方を使って作業できるので、作業性がよい。
なお、シャッタ部８０を設けない場合には、給電装置１００を前後方向に移動させると、導通部７２が給電用開口３３ａの周囲に接触したまま移動することになる。リアハウジング３０を樹脂で構成した場合には、金属製の導通部７２によってリアハウジング３０が損傷する可能性も考えられる。このため、上述したように、シャッタ部８０を設けて、電極４４ａがハウジング６０に対して所定の位置（第一位置）に位置した場合にのみ、導通部７２を端子収容部６２から突出させることが好ましい。
【００６０】
また、本実施形態に係る給電装置１００によれば、ハウジング６０には、シャッタ部８０を第一位置および第二位置に保持するラッチ部６５が設けられている。このため、電極４４ａとバネ状端子７０との導通状態あるいは非導通状態をその状態のまま維持しやすい。なお、シャッタ部８０を第一位置と第二位置のいずれか一方のみに把持するように、ラッチ部６５を設けてもよい。ラッチ部６５に替えて、図１４に示すように、ハウジング６０の内部に、シャッタ部８０を常に第二位置に向かって押し付けるバネ部材６７を設けてもよい。
【００６１】
図１４は、第一実施形態の変形例に係る給電装置の図１２に対応する図である。図１４に示した例では、シャッタ部８０の後方に圧縮された状態のバネ部材６７が設けられている。このバネ部材６７により、シャッタ部８０は常に前方に押し付けられて、導通阻止部８２は端子突出孔６２ａを塞いでいる。
【００６２】
また本実施形態に係る給電装置１００によれば、シャッタ部８０がハウジング６０に対して後方に位置するときに導通部７２と電極４４ａが導通する第一位置とされ、第一位置より前方にシャッタ部８０を移動させると、導通部７２と電極４４ａとが導通しない第二位置とされる。つまり、第一位置は第二位置よりもシャッタ部がハウジングの後方に位置する。作業者は、ハウジングをコネクタ１０に向かって前方に移動させるとシャッタ部８０はハウジングに対して後退し、発光素子４１を点灯させることができる。このため、給電操作が直感的でわかりやすい。
【００６３】
また本実施形態に係る給電装置１００によれば、ハウジング６０の後方には、ハウジング６０の後部に着脱自在に取り付けられた治具９０が設けられている。コネクタ１０は比較的小さい部品である。この小さいコネクタ１０が嵌合されるハウジング６０も比較的小さい部品となる。このため、作業者はそのままではハウジング６０を掴みにくい。そこで、コネクタ１０の後方の大きな作業スペースを使って、大きく掴みやすい治具を設けたことにより、給電装置１００の操作性を高めることができる。
【００６４】
また本実施形態に係る給電装置１００によれば、治具９０の爪部９５をハウジング６０の凹部６４に挿入させることにより、クリップ部９２がハウジング６０を把持している。これにより、一対の爪部９５を通る軸を回転中心にして、治具９０はハウジング６０に対して相対回転可能とされている。
このため、作業者が識別作業中に誤って治具９０に、光コード２の軸方向と交差する方向に力を作用させても、治具９０が回転して、ハウジング６０およびコネクタ１０に該力が作用しない。このため、識別作業中に誤ってコネクタ１０が破損することが抑制される。
また、コネクタ１０の後方の空間が限られている場合でも、コネクタ１０の斜め後方から治具９０を使ってコネクタ１０をハウジング６０に嵌合させることができる。
治具９０のハウジング６０に対する回転は、光コード２の軸方向を中心に片側１５度〜４５度（両側で３０度〜９０度）程度の角度に制限されているのが良い。あまり自由に回転すると把持部９１を持ってハウジング６０を移動させる際、位置合わせが難しくなる。一方、回転量が少なすぎると、治具９０に加わった光コード２の軸方向と交差する方向への力を逃がすことが難しくなる。
【００６５】
また本実施形態に係る給電装置１００によれば、治具９０には、光コード２の軸方向に沿って開口する凹部９３が設けられている。識別作業中、コネクタ１０の後方から延びる光コード２を凹部９３を使って自然に後方に延ばすことができ、光コード２に無理な曲げ力が作用しにくい。
【００６６】
＜第二実施形態＞
次に、第二実施形態に係る給電装置について説明する。以降の第二実施形態の説明において、第一実施形態と同一構成部分は、同一符号を付して説明を省略する。
【００６７】
図１５は、本発明の第二実施形態に係る給電装置の分解斜視図である。給電装置１００Ａは、ハウジング６０Ａと治具９０Ａとを備えている。本実施形態では、シャッタ部８０Ａが治具９０Ａの前端部に設けられている。
【００６８】
（ハウジング）
ハウジング６０Ａには、上述した第一実施形態と同様に、前方開口部６１ａおよび側方開口部６１ｂを備えたコネクタ嵌合部６１が設けられている。また、ハウジング６０Ａの端子収容部６２にはバネ状端子７０Ａが設けられている。図１５において、バネ状端子７０Ａを図示するためにハウジング６０Ａの一部を省略して示しているが、この省略した部分は図１６および図１７に示した。ハウジング６０Ａの外周面の後部には、径方向外側に開口する開口６９が設けられている。
【００６９】
（治具）
治具９０Ａは、ハウジング６０Ａの後方に、ハウジング６０Ａに着脱自在に設けられている。治具９０Ａは、把持部９１と、把持部９１から前方に突き出した支持部９７と、を備えている。支持部９７の前端にはシャッタ部８０Ａが設けられ、シャッタ部８０Ａには導通阻止部８２が形成されている。導通阻止部８２は前後方向に延びる板状の部位である。把持部９１には、光コード２の軸方向に沿って開口する凹部９３が設けられている。
【００７０】
導通阻止部８２の後端には、軸方向の後方に向かって径方向外側に延びる操作部９８が設けられている。操作部９８の前後方向の中間には、径方向外側に突出する突起９９が設けられている。作業者が手で操作部９８を径方向内側に向かって押すと、突起９９も径方向内側に移動する。
【００７１】
図１６は、図１５に示した給電装置１００Ａの断面図である。図１７は、治具９０Ａをハウジング６０Ａに挿入し、かつ、コネクタ１０を給電装置１００Ａに結合していない状態を示す、給電装置１００Ａの斜視図である。図１８は、電極４４ａとバネ状端子７０が導通状態の給電装置１００Ａおよびコネクタ１０を示す断面図である。
図１６に示したように、ハウジング６０Ａには、前後方向に貫通する貫通孔６８が設けられている。この貫通孔６８は、シャッタ部８０Ａの導通阻止部８２が挿入可能な大きさとされている。
【００７２】
貫通孔６８の前方の開口は、端子収容部６２の端子突出孔６２ａより径方向外側かつバネ状端子７０が支持される取付部６６より径方向内側に、開口する。このため、図１７に示したように、貫通孔６８をシャッタ部８０Ａを挿入させると、導通阻止部８２がバネ状端子７０の導通部７２に当接する。さらにシャッタ部８０Ａを前方に移動させると、図１８に示すように、導通阻止部８２が導通部７２の径方向内側に入り込み、導通部７２を径方向外側に押し上げて、導通部７２を端子収容部６２の内部に引き込ませることができる。このために、導通阻止部８２の前端はテーパ形状とされていることが好ましい。
【００７３】
作業者は、治具９０Ａの把持部９１を把持して、導通阻止部８２を貫通孔６８に挿入させて、治具９０Ａを前進させると、バネ状端子７０Ａと電極４４ａとを非導通状態とすることができる。治具９０Ａを所定の位置まで前進させると、突起９９がハウジング６０Ａの外周面の径方向外側に開口する開口６９に嵌りこむ。これにより、治具９０Ａがハウジング６０Ａに対する相対移動が規制される。つまり、突起９９を開口６９に嵌りこませたまま、治具９０Ａを後退させると、ハウジング６０Ａも治具９０Ａとともに後退する。
【００７４】
（給電装置の結合方法）
次に、図１７および図１８を用いて、給電装置１００Ａをコネクタ１０に結合する方法を説明する。
まず、給電装置１００Ａをコネクタ１０に結合する前に、導通阻止部８２を貫通孔６８に挿入し、導通阻止部８２が端子突出孔６２ａを覆う位置まで治具９０Ａをハウジング６０Ａに対して前進させておく。この状態において、導通阻止部８２はバネ状端子７０Ａの導通部７２に当接し、導通部７２はコネクタ嵌合部６１には突出していない。
【００７５】
次に、この状態のまま、コネクタ嵌合部６１へコネクタ１０を嵌合させ、給電装置１００Ａを前進させる。この状態では、図１８に示すように、バネ状端子７０Ａと電極４４ａとの間に導通阻止部８２が位置しているので、バネ状端子７０Ａと電極４４ａとは非導通状態である。この状態では、発光素子４１は消灯している。バネ状端子７０Ａと電極４４ａとが非導通状態となる、シャッタ部８０Ａの位置を第二位置とも呼ぶ。
【００７６】
この状態から、作業者は操作部９８を押し下げて、突起９９を開口６９から離脱させる。さらに治具９０Ａを後退させて、治具９０Ａをハウジング６０Ａから引き抜く。これにより、導通阻止部８２が端子突出孔６２ａより後方移動して、バネ状端子７０Ａの導通部ｆは弾性力によってコネクタ嵌合部６１側に突出し、導通部７２が電極４４ａと導通する。これにより、発光素子４１が点灯する。この導通部７２と電極４４ａとを導通させるシャッタ部８０Ａの位置を第一位置とも呼ぶ。
【００７７】
給電装置１００Ａをコネクタ１０から取り外す場合には、導通阻止部８２を貫通孔６８に挿入し、治具９０Ａをハウジング６０Ａに再び装着する。治具９０Ａの突起９９がハウジング６０Ａの開口６９に嵌りこむまで、治具９０Ａをハウジング６０に対して前進させる。突起９９が開口６９に嵌りこんだ状態では、導通阻止部８２はバネ状端子７０Ａの導通部７２と端子収容部６２の端子突出孔６２ａとの間に入り込み、バネ状端子７０Ａと電極４４ａとが非導通状態となる。これにより、発光素子４１は再び消灯する。
さらに、作業者が、操作部９８を押し下げずに、治具９０Ａを後退させると、突起９９が開口６９に嵌りこんでいるので、ハウジング６０Ａも治具９０Ａとともに後退する。これにより、コネクタ１０がハウジング６０Ａのコネクタ嵌合部６１から前方に離脱し、給電装置１００Ａとコネクタ１０との結合が解除される。
【００７８】
（効果）
以上説明したように、本実施形態に係る給電装置１００Ａによれば、ハウジング６０Ａがコネクタ１０の後部が嵌合されるコネクタ嵌合部６１を有し、コネクタ嵌合部６１にコネクタ１０の後部が嵌合されている状態で、バネ状端子７０Ａが電極４４ａに導通可能とされている。
このため、給電装置１００Ａをコネクタ１０に対して後方から近づけて、給電装置１００Ａを前方に移動させることにより、電極４４ａとバネ状端子７０Ａとを導通させることができる。このように、作業スペースを大きく確保できるコネクタ１０の後方の空間を使って、発光素子４１に給電できる。このため、コネクタ１０の発光素子４１を発光させて特定の光コード２を特定する識別作業が容易になる。
また、上述した給電装置１００Ａを用いれば、作業者が把持部９１から手を離しても、コネクタ１０がコネクタ嵌合部６１から抜け出しにくいため、電極４４ａとバネ状端子７０Ａの導通状態を維持し続けることができる。このため、作業者が、光コード２の一方の端部に設けたコネクタ１０に給電装置１００Ａを導通させて、給電装置１００Ａから手を離し、光コード２の他方の端部に設けたコネクタ１０の発光素子４１の点灯状態を確認しやすい。
【００７９】
さらに本実施形態に係る給電装置１００によれば、シャッタ部８０Ａが、ハウジング６０Ａに対して、光コード２の軸方向に移動可能に設けられている。このシャッタ部８０Ａは、導通部７２をコネクタ嵌合部６１側に突出させてバネ状端子７０Ａを電極４４ａに導通させる第一位置と、バネ状端子７０Ａと電極４４ａとの間に位置しシャッタ部８０Ａが導通部７２と当接して導通部７２をコネクタ嵌合部６１側に突出させない第二位置とに、移動可能に設けられている。このシャッタ部８０Ａは、ハウジング６０Ａの後方に着脱自在に設けられた治具９０Ａに設けられている。
つまり、シャッタ部８０Ａを軸方向に移動させることにより、導通状態と非導通状態とを切り替えるため、コネクタ１０が密集されて配置されて作業スペースの小さいコネクタ１０の側方の空間を利用しないので、作業性がよい。
また、上述した第一実施形態と同様に、シャッタ部８０Ａによって、電極４４ａがハウジング６０Ａに対して所定の位置（第一位置）に位置した場合にのみ、導通部７２が端子収容部６２から突出する。このため、コネクタ１０がバネ状端子７０Ａによって損傷する虞が少ない。
【００８０】
＜第三実施形態＞
次に、第三実施形態に係る給電装置１００Ｃについて説明する。以降の第三実施形態の説明において、第一、第二実施形態と同一構成部分は、同一符号を付して説明を省略する。
図１９は、本発明の第三実施形態に係る給電装置１００Ｃおよびコネクタ１０Ｃを示す断面斜視図である。第一実施形態と比べると、本形態は、給電用開口３３ａからコネクタ（リアハウジング３０Ｃ）外形より径方向外側に向かって電極４４ａが突出している点、給電装置１００Ｃにシャッタ部がない点、バネ状端子７０Ｃが板状金属である点、が異なる。
コネクタ１０Ｃがこのような構造を有する場合には、導通部７２Ｃのコネクタ嵌合部６１Ｃ側への突出量を、コネクタ嵌合部６１Ｃの内側寸法とコネクタ１０Ｃのリアハウジング３０Ｃの外形寸法との差と同等以下となるように予め調整しておくことにより、リアハウジング３０Ｃに導通部７２Ｃを接触させずに給電装置１００Ｃを前後方向に移動して、給電することも可能となる。
【００８１】
なお、本発明はこれらの例示に限定されるものではなく、特許請求の範囲によって示され、特許請求の範囲と均等の意味および範囲内でのすべての変更が含まれることが意図される。
例えば、上記第一実施形態および第二実施形態では、シャッタ部８０，８０Ａがハウジング６０，６０Ａに対して後退したときにバネ状端子７０と電極４４ａとが導通し、シャッタ部８０，８０Ａがハウジング６０．６０Ａに対して前進したときにバネ状端子７０が電極４４ａと非導通状態となる構成とした。しかし、これとは逆に、シャッタ部８０，８０Ａがハウジング６０，６０Ａに対して前進したときにバネ状端子７０と電極４４ａとが導通し、シャッタ部８０，８０Ａがハウジング６０．６０Ａに対して後退したときにバネ状端子７０が電極４４ａと非導通状態となる構成としてもよい。
【符号の説明】
【００８２】
２：光ファイバコード
１０：コネクタ
４１：発光素子
４４ａ：電極
１００，１００Ａ：給電装置
６０，６０Ａ：ハウジング
６１：コネクタ嵌合部
６１ａ：前方開口部
６１ｂ：側方開口部
６２：端子収容部
６２ａ：端子突出孔
６３：側壁
６４：凹部
６５：ラッチ部
６６：取付部
６７：バネ部材
６８：貫通孔
６９：開口
７０，７０Ａ：バネ状端子
７１：接続部
７２：導通部
７３：巻回部
８０，８０Ａ：シャッタ部
８１：コネクタ収容部
８２：導通阻止部
８３：凸部
９０：治具
９１：把持部
９２：クリップ部
９３：凹部
９４：軸部
９５：爪部
９６：押圧部
９７：支持部
９８：操作部
９９：突起
【図１】
2015079098.tif 000003
【図２】
2015079098.tif 000004
【図３】
2015079098.tif 000005
【図４】
2015079098.tif 000006
【図５】
2015079098.tif 000007
【図６】
2015079098.tif 000008
【図７】
2015079098.tif 000009
【図８】
2015079098.tif 000010
【図９】
2015079098.tif 000011
【図１０】
2015079098.tif 000012
【図１１】
2015079098.tif 000013
【図１２】
2015079098.tif 000014
【図１３】
2015079098.tif 000015
【図１４】
2015079098.tif 000016
【図１５】
2015079098.tif 000017
【図１６】
2015079098.tif 000018
【図１７】
2015079098.tif 000019
【図１８】
2015079098.tif 000020
【図１９】
2015079098.tif 000021